(57)【特許請求の範囲】
【請求項１】
被炊飯物が収容される内鍋と、
上記内鍋を加熱する加熱部と、
上記内鍋の温度を検出する内鍋温度検出部と、
上記内鍋内に収容された被炊飯物を流動させる攪拌部と、
上記攪拌部を駆動するモータと、
上記モータの消費電流を検出する消費電流検出部と、
上記内鍋温度検出部により検出された上記内鍋の温度に基づいて、上記加熱部を制御して、少なくとも予熱工程と炊き上げ工程とを有する調理シーケンスにより上記内鍋内の上記被炊飯物の炊飯調理を行う加熱制御部と、
上記予熱工程の期間に上記モータを制御して上記攪拌部を駆動させる攪拌制御部と、
上記攪拌制御部により上記予熱工程の期間に上記モータを制御して上記攪拌部を駆動させるとき、上記消費電流検出部により検出された上記モータの消費電流が予め設定された基準電流値以下か否かを判断する消費電流判断部と
を備え、
上記加熱制御部は、
上記予熱工程の期間において上記消費電流判断部が上記消費電流検出部により検出された上記モータの消費電流が上記基準電流値以下であると判断したとき、上記攪拌部が設置されていないものとして上記加熱部を制御して、上記炊き上げ工程において上記内鍋を上記加熱部により加熱する熱量を予め設定された熱量分増加させて炊飯調理を行うことを特徴とする炊飯器。
【請求項２】
請求項１に記載の炊飯器において、
上記炊飯調理のためにユーザーにより入力操作される操作部を備え、
上記加熱制御部は、
上記予熱工程の期間において上記消費電流判断部が上記消費電流検出部により検出された上記モータの消費電流が上記基準電流値以下であると判断したとき、炊飯調理を一旦停止し、
その炊飯調理を停止した状態で次にユーザーが上記操作部に対して炊飯調理を開始する操作をしたとき、上記炊飯調理を再開することを特徴とする炊飯器。
【発明の詳細な説明】
【技術分野】
【０００１】
この発明は、炊飯器に関し、詳しくは家庭用および業務用の炊飯器に関する。
【背景技術】
【０００２】
従来、炊飯器としては、吸水工程中に攪拌手段により内鍋内の水を流動させるものがある(例えば、特開２００８−１８１２２号公報(特許文献１)参照)。この炊飯器では、内鍋内の米への吸水が均一になり、美味しいご飯を炊くことができる。
【０００３】
しかしながら、上記従来の炊飯器では、攪拌手段を内鍋内への設置を忘れると、一般的な攪拌手段を備えていない炊飯器と同じような炊き上がりとなり、攪拌手段を備えることによる特徴ある炊き上がりにはならないという問題があった。
【先行技術文献】
【特許文献】
【０００４】
【特許文献１】特開２００８−１８１２２号公報
【発明の概要】
【発明が解決しようとする課題】
【０００５】
そこで、この発明の課題は、簡単な構成で攪拌部の設置忘れを防止できる炊飯器を提供することにある。
【課題を解決するための手段】
【０００６】
上記課題を解決するため、この発明の炊飯器は、
被炊飯物が収容される内鍋と、
上記内鍋を加熱する加熱部と、
上記内鍋の温度を検出する内鍋温度検出部と、
上記内鍋内に収容された被炊飯物を流動させる攪拌部と、
上記攪拌部を駆動させるモータと、
上記モータの消費電流を検出する消費電流検出部と、
上記内鍋温度検出部により検出された上記内鍋の温度に基づいて、上記加熱部を制御して、少なくとも予熱工程と炊き上げ工程とを有する調理シーケンスにより上記内鍋内の上記被炊飯物の炊飯調理を行う加熱制御部と、
上記予熱工程の期間に上記モータを制御して上記攪拌部を駆動させる攪拌制御部と、
上記攪拌制御部により上記予熱工程の期間に上記モータを制御して上記攪拌部を駆動させるとき、上記消費電流検出部により検出された上記モータの消費電流が予め設定された基準電流値以下か否かを判断する消費電流判断部と
を備え、
上記加熱制御部は、
上記予熱工程の期間において上記消費電流判断部が上記消費電流検出部により検出された上記モータの消費電流が上記基準電流値以下であると判断したとき、上記攪拌部が設置されていないものとして上記加熱部を制御して、上記炊き上げ工程において上記内鍋を上記加熱部により加熱する熱量を予め設定された熱量分増加させて炊飯調理を行うことを特徴とする。
【０００７】
上記構成によれば、少なくとも予熱工程と炊き上げ工程とを有する調理シーケンスにより内鍋内の被炊飯物(米と水)の炊飯調理を行うとき、予熱工程の期間に攪拌制御部によりモータを制御して攪拌部を駆動させる。これにより、予熱工程において内鍋内の被炊飯物の温度分布が均一化され、内鍋内のすべての米がムラなく水を吸収すると共に、グルコース量が増える。そして、攪拌制御部により予熱工程の期間にモータを制御して攪拌部を駆動させるとき、消費電流判断部によって、消費電流検出部により検出されたモータの消費電流が予め設定された基準電流値以下か否かを判断する。このとき、攪拌部が内鍋内に設置されていないときのモータの消費電流は、攪拌部が内鍋内に設置されているときのモータの消費電流よりも小さくなるので、攪拌部が内鍋内に設置されているときのモータの消費電流よりも基準電流値を小さい値に設定することで、消費電流検出部により検出されたモータの消費電流が基準電流値以下のときは、内鍋内に攪拌部が設置されていないと判断することが可能となる。したがって、内鍋内への攪拌部の設置を忘れて炊飯しようとしたとき、例えば、攪拌部が設置されていないことを検出してユーザーに知らせることによって、設置し直して炊飯してもらうことが可能となり、いつでも攪拌による炊飯の効果が発揮できるようになる。したがって、簡単な構成で攪拌部の設置忘れを防止でき、攪拌により美味しいご飯を炊くことができる。
また、予熱工程で攪拌部が内鍋内に設置されていないと、消費電流判断部が消費電流検出部により検出されたモータの消費電流が基準電流値以下であると判断したとき、加熱制御部は、攪拌部が内鍋内に設置されていないものとして加熱部を制御して、炊き上げ工程において内鍋を加熱部により加熱する熱量を予め設定された熱量分増加させて炊飯調理を行う。この場合、攪拌部が内鍋内に設置されていない条件では、攪拌部がない分だけ水が余分に内鍋内に米といっしょに入れられていることになるが、そのまま炊飯調理を継続しても、例えば余分な水分量を蒸発させるだけの熱量分を増加させて炊飯調理することにより、美味しいご飯を炊き上げることができる。
【０００８】
【０００９】
【００１０】
【００１１】
【００１２】
【００１３】
【００１４】
また、一実施形態の炊飯器では、
上記炊飯調理のためにユーザーにより入力操作される操作部を備え、
上記加熱制御部は、
上記予熱工程の期間において上記消費電流判断部が上記消費電流検出部により検出された上記モータの消費電流が上記基準電流値以下であると判断したとき、炊飯調理を一旦停止し、
その炊飯調理を停止した状態で次にユーザーが上記操作部に対して炊飯調理を開始する操作をしたとき、上記炊飯調理を再開する。
【００１５】
上記実施形態によれば、予熱工程で攪拌部が内鍋内に設置されていないと、消費電流判断部が消費電流検出部により検出されたモータの消費電流が基準電流値以下であると判断して、加熱制御部は、炊飯調理を一旦停止する。そして、炊飯調理を停止した状態で次にユーザーが操作部に対して炊飯調理を開始する操作をすると、炊飯調理を再開する。
【発明の効果】
【００１６】
以上より明らかなように、この発明の炊飯器によれば、簡単な構成で攪拌部の設置忘れを防止でき、攪拌により良好な炊飯が行える炊飯器を実現することができる。
【図面の簡単な説明】
【００１７】
【図１】図１はこの発明の実施の一形態の炊飯器の構成を示す断面図である。
【図２】図２は上記炊飯器の羽根を外した状態の断面図である。
【図３】図３は上記炊飯器の制御回路部分を示すブロック図である。
【図４】図４は上記炊飯器の羽根を設置しているときの内鍋内の温度データを示すグラフである。
【図５】図５は図４に示す温度データのグラフの要部の拡大図である。
【図６】図６は上記炊飯器の内鍋内の温度データの測定位置を示す図である。
【図７】図７は上記炊飯器の羽根の設置を忘れたときの内鍋内の温度データを示すグラフである
【図８】図８は図７に示す温度データのグラフの要部の拡大図である。
【図９】図９は上記炊飯器において攪拌がある場合とない場合のグルコース量を比較したグラフである。
【発明を実施するための形態】
【００１８】
以下、図面を参照しながらこの発明を詳述する。なお、この発明は下記の実施形態に限定されるものではない。
【００１９】
図１は、この発明の実施の一形態の羽根付け忘れ防止機能付き炊飯器の構成を示す断面図である。
【００２０】
この炊飯器は、図１に示すように、外ケース１００と、外ケース１００の上側に開閉自在に取り付けられた蓋体１２０と、外ケース１００内に配置された外釜１０６と、外釜１０６内に収納された内鍋１０７と、内鍋１０７の加熱部の一例としてのヒータ１０３と、ヒータ１０３の出力を調整するため内鍋の温度を検出する内鍋温度検出部の一例としての内鍋温度センサ１０５と、内鍋１０７内に収容され米１０２と水１０１を攪拌流動させる攪拌部の一例としての羽根１０９と、羽根１０９を駆動するために羽根１０９内に一体成型された従動用磁石１０４と、従動用磁石１０４に非接触で磁気カップリングにより連結されて駆動力を伝達する駆動用磁石１０８と、駆動用磁石１０８を回転させるためのモータ１１０と、駆動用磁石１０８を取り囲み内鍋１０７の底面凹部に嵌合して位置決めを行う円筒状のカバー１１１で主に構成されている。なお、内鍋２は、非磁性であるアルミニウムで形成され、その内面に被加熱物の付着を防ぐためのフッ素樹脂をコーティングしている。
【００２１】
上記炊飯器の攪拌動作は、モータ１１０の回転を磁力カップリングを介して内鍋１０７内の羽根１０９に伝達し、羽根１０９が回転することで水流を生じさせて、内鍋１０７内の米１０２と水１０１を攪拌する。
【００２２】
また、図２は上記炊飯器の羽根１０９を外した状態の断面図である。
【００２３】
また、図３は上記炊飯器の制御回路部分を示すブロック図である。この炊飯器は、図３に示すように、マイクロコンピュータおよび入出力回路などからなる制御装置２０１を備えている。この制御装置２０１は、内鍋温度センサ１０５および消費電流検出部２０２から信号が入力され、モータ１１０と、操作部の一例としての操作パネル２０３と、ヒータ１０３を駆動するための加熱回路２０４と、報知部２０５と、表示部２０６とが接続されている。
【００２４】
上記制御装置２０１は、内鍋温度センサ１０５により検出された内鍋１０７の温度に基づいて、ヒータ１０３を制御する加熱制御部２０１aと、予熱工程の期間にモータ１１０を制御して羽根１０９を駆動させる攪拌制御部２０１bと、攪拌制御部２０１bによりモータ１１０を制御して羽根１０９を駆動させるとき、消費電流検出部２０２により検出されたモータ１１０の消費電流が予め設定された基準電流値以下か否かを判断する消費電流判断部２０１cとを有する。
【００２５】
以下にこの発明の炊飯器の炊飯方法の特徴を詳述する。
【００２６】
一般的な炊飯調理の調理シーケンスとしては、予熱工程・炊き上げ工程・むらし工程がある。
【００２７】
加熱制御中における内鍋１０７内の米１０２は一般に約６２℃以上になると急速に水１０１を吸収して糊化するようになるため、羽根１０９を回転させることによる内鍋１０７内の米１０２と水１０１の攪拌動作は、糊化の始まる前の約６０℃以下までとしており、予熱工程のみでの動作としている。
【００２８】
予熱工程の動作としては、ヒータ１０３により内鍋１０７が加熱され、ヒータ１０３の出力を調整するため内鍋の温度を検出する内鍋温度センサ１０５によりヒータ１０３の出力を調整し、内鍋１０７及び内鍋１０７内の米１０２と水１０１が約５８℃〜６０℃となるまで加熱し、その約５８℃〜６０℃の温度を２０〜２５分程度保持している。この予熱工程内で羽根１０９を間欠的に回転させることにより(連続的に回転させてもよい)、内鍋１０７内の米１０２と水１０１を攪拌させ、内鍋１０７内のすべての米１０２と水１０１の温度を全領域まんべんなく約５８℃〜６０℃まで上昇させ、その約５８℃〜６０℃の温度を２０〜２５分程度保持することができる。これにより、内鍋１０７内の米１０２と水１０１の温度は予熱工程内において、全領域同じ温度となるため、内鍋１０７内のすべての米は全領域でムラなく水を吸収する。
【００２９】
また、この予熱工程における５８℃〜６０℃の温度を２０〜２５分程度保持するもう一つの目的として、グルコース量の増量がある。６０℃付近の温度にてグルコースを生成する酵素が最も活性化するとされ、５８℃〜６０℃の温度を長い時間保持し、次の炊き上げ工程・むらし工程を経て炊き上げられたご飯はとても甘みが感じられる仕上がりとなる。
【００３０】
しかしながら、羽根１０９の設置を忘れて炊飯してしまうと、これらの効果が得られず羽根のない炊飯器と同等の仕上がりとなってしまう。
【００３１】
図４は上記炊飯器の羽根１０９を設置しているときの内鍋１０７内の温度データのグラフを示し、図５は図４に示す温度データのグラフの要部(図４に示す区間Ａ)の拡大図を示している。なお、図６は炊飯器の内鍋１０７内の温度データの測定位置を示しており、Ｐ１は釜上、Ｐ２は釜中央、Ｐ３は釜下、Ｐ４は釜底である。
【００３２】
また、図７は上記炊飯器の羽根１０９を設置していないときの内鍋１０７内の温度データのグラフを示し、図８は図７に示す温度データのグラフの要部(図７に示す区間Ｂ)の拡大図を示している。
【００３３】
図４,図５に示すように、羽根１０９を設置しているときは、予熱工程の攪拌期間(図４に示す)において、内鍋１０７内の米１０２と水１０１を攪拌しながら加熱していくと、釜上・釜中央・釜下のそれぞれの温度はほぼ同じように上昇している。これに対して、図７,図８に示す羽根１０９の設置を忘れて炊飯したときの内鍋１０７内の温度データでは、釜上・釜中央・釜下のそれぞれの温度はバラバラに上昇しているのがわかる。
【００３４】
また、図４,図５に示す羽根１０９の設置を忘れずに炊飯したときの内鍋１０７内の温度データでは、予熱工程の攪拌しながらの加熱が終わると約２５分の保持工程があるが、この保持工程の温度は約５７〜５８℃である。これに対して、図７,図８に示す羽根１０９の設置を忘れて炊飯したときの内鍋１０７内の温度データでは、保持温度がバラバラであり約４６〜５３℃と低いのがわかる。
【００３５】
図９は上記炊飯器において羽根１０９の設置を忘れずに炊飯したときと羽根１０９の設置を忘れて炊飯したときの炊飯後のご飯に含まれるグルコース量を示したグラフである。図９において縦軸はグルコース含有量[mg/D.W100g]を表している。ここで、[D.W]とは、乾燥重量のことである。
【００３６】
図９に示すように、羽根１０９の設置を忘れずに攪拌して炊飯したときのグルコース量は、羽根１０９の設置を忘れて攪拌せずに炊飯したときのグルコース量は５１％増えていることがわかる。内鍋１０７内のすべての米は全領域でムラなく水を吸収され、とても甘みが感じられるご飯に仕上がるよう羽根１０９の設置忘れを防止する必要がある。
【００３７】
通常、羽根１０９を設置して攪拌する場合、羽根１０９の重量に加えて米と水の重量が、羽根１０９を回転するためのモータ１１０にかかるが、羽根１０９の設置を忘れて攪拌する場合はそれらのすべてがないため、モータ１１０にかかる負荷は少なくなる。それにより、羽根１０９の有無によるモータ１１０の消費電流に差が生じる。具体的には、この実施の形態の炊飯器では、羽根１０９を設置しているときのモータ１１０の消費電流が約０.５Ａであるのに対して、羽根１０９を設置しているときのモータ１１０の消費電流が約０.０１Ａであった。
【００３８】
このため、消費電流検出部２０２により検出されたモータ１１０の消費電流が基準電流値(例えば０.２Ａ)以下か否かを消費電流判断部２０１cにより判断することにより、内鍋１０７内に羽根１０９が設置されているかどうかの判断を行う。
【００３９】
この判断により、羽根１０９が設置されていない場合、羽根１０９が無いことをブザー・音声等の報知部２０５により報知するかまたは液晶画面等の表示部２０６に表示することにより、羽根１０９が設置されていないことをユーザーに知らせ、羽根１０９を設置し直すことを促す。これにより、羽根１０９を設置し直して、炊飯調理を再スタートすることによって、内鍋１０７内のすべての米は全領域でムラなく水を吸収され、とても甘みが感じられるご飯にいつでも仕上がるようになる。なお、報知部２０５と表示部２０６の両方により、羽根１０９が無いことをユーザーに知らせてもよい。
【００４０】
上記構成の炊飯器によれば、内鍋１０７内の被炊飯物(米と水)の炊飯調理を行うとき、予熱工程の期間に攪拌制御部２０１bによりモータ１１０を制御して攪拌部である羽根１０９を駆動させることにより、内鍋１０７内の被炊飯物の温度分布が均一化され、内鍋１０７内のすべての米がムラなく水を吸収すると共に、グルコース量が増える。そうして、攪拌制御部２０１bにより予熱工程の期間にモータ１１０を制御して羽根１０９を駆動させるとき、消費電流判断部２０１cによって、消費電流検出部２０２により検出されたモータ１１０の消費電流が基準電流値以下か否かを判断する。このとき、羽根１０９が内鍋１０７内に設置されていないときのモータ１１０の消費電流が、羽根１０９が内鍋１０７内に設置されているときモータ１１０の消費電流よりも小さくなるので、羽根１０９が内鍋１０７内に設置されているときのモータ１１０の消費電流よりも基準電流値を小さい値に予め設定することで、消費電流検出部２０２により検出されたモータ１１０の消費電流が基準電流値以下のときは、内鍋１０７内に羽根１０９が設置されていないと判断することが可能となる。
【００４１】
したがって、内鍋１０７内に収容された被炊飯物を流動させる攪拌部である羽根１０９を備えた炊飯器において、内鍋１０７内への羽根１０９の設置を忘れて炊飯しようとしたとき、羽根１０９が設置されていないことを検出してユーザーに知らせて、設置し直して炊飯してもらうことによって、いつでも攪拌による炊飯の効果が発揮できるようになる。
【００４２】
このように、上記炊飯器では、簡単な構成で羽根１０９の設置忘れを防止でき、攪拌により美味しいご飯を炊くことができる。
【００４３】
また、上記消費電流判断部２０１cに用いられる基準電流値を、攪拌制御部２０１bによりモータ１１０を制御して羽根１０９(内鍋１０７内に設置)を駆動しているときのモータ１１０の消費電流よりも小さい値に設定することによって、羽根１０９の有無を確実に確認することができる。
【００４４】
また、上記消費電流判断部２０１cが消費電流検出部２０２により検出されたモータ１１０の消費電流が基準電流値以下であると判断すると、羽根１０９が内鍋１０７内に設置されていないことを報知部２０５がブザーや音声などの音によりユーザーに知らせるので、ユーザーにより羽根１０９を内鍋１０７内に設置する等の確実な対応を行うことができる。
【００４５】
また、上記消費電流判断部２０１cが消費電流検出部２０２により検出されたモータ１１０の消費電流が基準電流値以下であると判断すると、羽根１０９が内鍋１０７内に設置されていないことを表示部２０６に表示してユーザーに知らせるので、ユーザーにより羽根１０９を内鍋１０７内に設置する等の確実な対応を行うことができる。
【００４６】
また、予熱工程で羽根１０９が内鍋１０７内に設置されていないとき、消費電流判断部２０１cが消費電流検出部２０２により検出されたモータ１１０の消費電流が基準電流値以下であると判断して、加熱制御部２０１aは、炊飯調理を一旦停止して、炊飯調理を停止した状態で次にユーザーが操作部に対して炊飯調理を開始する操作をすると、羽根１０９が内鍋１０７内に設置されていないものとして加熱制御部２０１aにより加熱部であるヒータ１０３を制御して炊飯調理を再開するようにしてもよい。
【００４７】
この場合、羽根１０９が内鍋１０７内に設置されていない条件では、羽根１０９がない分だけ水が余分に内鍋１０７内に米といっしょに入れられていることになるが、炊き上げ工程において内鍋１０７をヒータ１０３により加熱する熱量を予め設定された熱量分増加させて炊飯調理を行うことによって、そのまま炊飯調理を継続しても、例えば余分な水分量を蒸発させるだけの熱量分を増加させて炊飯調理することにより、美味しいご飯を炊き上げることができる。
【００４８】
上記実施の形態では、ヒータ１０３で内鍋１０７を加熱する構成の炊飯器について説明したが、内鍋を加熱する加熱部の構成はこれに限らず、例えば、ヒータの代わりに誘導コイルを用いてもよい。
【００４９】
この発明の具体的な実施の形態について説明したが、この発明は上記実施の形態に限定されるものではなく、この発明の範囲内で種々変更して実施することができる。
【符号の説明】
【００５０】
１００…外ケース
１０１…水
１０２…米
１０３…ヒータ
１０４…従動用磁石
１０５…内鍋温度センサ
１０６…外釜
１０７…内鍋
１０８…駆動用磁石
１０９…羽根
１１０…モータ
１１１…円筒カバー
１２０…蓋体
２０１…制御装置
２０１a…加熱制御部
２０１b…攪拌制御部
２０１c…消費電流判断部
２０２…消費電流検出部
２０３…操作パネル
２０４…加熱回路
２０５…報知部
２０６…表示部
【図１】
0005707109.tif 000002
【図２】
0005707109.tif 000003
【図３】
0005707109.tif 000004
【図４】
0005707109.tif 000005
【図５】
0005707109.tif 000006
【図６】
0005707109.tif 000007
【図７】
0005707109.tif 000008
【図８】
0005707109.tif 000009
【図９】
0005707109.tif 000010